(57)【要約】【課題】携帯機器において、強度を低下させることなく、薄形化を図る。【解決手段】第１の開口部を有する筐体と、前記第１開口部に配置される第１保護パネルと、前記第１保護パネルの下側で、前記筐体の内部に配置される第１表示装置とを備える携帯機器であって、前記第１表示装置は、基板を有し、前記第１保護パネルは、前記第１表示装置の前記基板上に透明接着剤で貼り付けられている。前記筐体内部で、前記第１表示装置の前記第１保護パネルと反対側の位置に配置されるクッション材を備え、前記第１表示装置に直交する方向から見たときに、前記クッション材は、前記第１表示装置と少なくとも一部で重なる。【選択図】図１
2008090053.tif 000002
【特許請求の範囲】
【請求項１】
携帯機器の表示部として使用される表示装置であって、
基板と、
前記基板上に透明接着剤で貼り付けられたパネル部材を有し、
前記パネル部材は、前記携帯機器の保護パネルを構成することを特徴とする表示装置。
【請求項２】
前記透明接着剤は、エラストマーであることを特徴とする請求項１に記載の表示装置。
【請求項３】
前記パネル部材は、前記表示装置の表示面を覆う領域が透明であることを特徴とする請求項１または請求項２に記載の表示装置。
【請求項４】
前記表示装置は、液晶表示装置であることを特徴とする請求項１ないし請求項３のいずれか１項に記載の表示装置。
【請求項５】
第１の開口部を有する筐体と、
前記第１開口部に配置される第１保護パネルと、
前記第１保護パネルの下側で、前記筐体の内部に配置される第１表示装置とを備える携帯機器であって、
前記第１表示装置は、基板を有し、
前記第１保護パネルは、前記第１表示装置の前記基板上に透明接着剤で貼り付けられていることを特徴とする携帯機器。
【請求項６】
前記筐体内部で、前記第１表示装置の前記第１保護パネルと反対側の位置に配置されるクッション材を備え、
前記第１表示装置に直交する方向から見たときに、前記クッション材は、前記第１表示装置と少なくとも一部で重なることを特徴とする請求項５に記載の携帯機器。
【請求項７】
前記筐体は、前記第１の開口部が形成される面と反対側の面に第２の開口部を有し、
前記第２開口部内に配置される第２保護パネルと、
前記第２保護パネルの下側で、前記筐体の内部に配置される第２表示装置とを備え、
前記第２表示装置は、基板を有し、
前記第２保護パネルは、前記第２表示装置の前記基板上に透明接着剤で貼り付けられていることを特徴とする請求項５または請求項６に記載の携帯機器。
【請求項８】
前記第２表示装置の周囲に配置されるクッション材を備えることを特徴とする請求項７に記載の携帯機器。
【請求項９】
前記透明接着剤は、エラストマーであることを特徴とする請求項５ないし請求項８のいずれか１項に記載の携帯機器。
【請求項１０】
前記第１保護パネルは、前記筐体の前記第１開口部の周囲に固定され、かつ、前記第１表示装置の表示面を覆う領域が透明であることを特徴とする請求項５ないし請求項９のいずれか１項に記載の携帯機器。
【請求項１１】
前記第１表示装置は、液晶表示装置であることを特徴とする請求項５ないし請求項１０のいずれか１項に記載の携帯機器。
【請求項１２】
前記第２表示装置は、液晶表示装置であることを特徴とする請求項５ないし請求項１１のいずれか１項に記載の携帯機器。
【発明の詳細な説明】
【技術分野】
【０００１】
本発明は、表示装置および携帯機器に係り、特に、小型の液晶表示装置などを携帯電話機などに実装する際の有効な技術に関する。
【背景技術】
【０００２】
例えば、サブピクセル数が、（３２０×２４０×３）程度の小型の液晶表示パネルを有する液晶表示モジュールは、携帯電話機などの携帯機器のディスプレイとして使用されている。
図６は、従来の携帯電話機の概略構造を示す模式断面図、図７は、図６に示す携帯電話機の概略構造を説明するための模式平面図である。なお、図６、図７において、１は保護パネル、１−１は透明領域、２は筐体、４は接着剤あるいは両面テープ、６はダイキャスト、１２はフレキシブル配線基板、ＬＣＭは液晶表示モジュール、ＤＲＶは半導体チップである。半導体チップ（ＤＲＶ）は、液晶表示パネルを駆動するドライバを構成する。
また、図６、図７に示す携帯電話機は、折りたたみ構造のものを想定しており、図６、図７では、液晶表示パネルが実装される部分の構造のみを図示している。
図６、図７に示すように、従来の携帯電話機では、液晶モジュール（ＬＣＭ）を、Ｍｇや、Ａｌで構成されるダイキャスト６に組込み、それを携帯電話機の筐体２に取り付け、その後、液晶表示パネルの表示部に当たる部分が透明領域（１−１）となっている保護パネル１を筐体２に取り付ける構造となっている。図６、図７では、保護パネル１は、接着剤あるいは両面テープ４により、筐体２に貼り付けられている。
また、保護パネル１に圧力が加わって、液晶表示パネルのガラス基板が割れるのを軽減するために、液晶表示パネルと保護パネル１との間には間隙が設けられている。
【発明の開示】
【発明が解決しようとする課題】
【０００３】
しかしながら、図６、図７に示す従来の構造は、液晶表示モジュール（ＬＣＭ）を、硬いダイキャスト６に組み込むため、押圧及び衝撃に対して、液晶表示モジュール（ＬＣＭ）に影響を及ぼし、特に、ガラス基板が割れてしまうという問題点があった。
また、携帯電話機の薄形化要求により、保護パネル１と液晶表示モジュール（ＬＣＭ）との間隙も十分に取れず、さらに、液晶表示モジュール（ＬＣＭ）自体も薄形化が要求されているため強度を保てなくなってきている。
本発明は、前記従来技術の問題点を解決するためになされたものであり、本発明の目的は、表示装置および携帯機器において、強度を低下させることなく、薄形化を図ることが可能となる技術を提供することにある。
本発明の前記ならびにその他の目的と新規な特徴は、本明細書の記述及び添付図面によって明らかにする。
【課題を解決するための手段】
【０００４】
本願において開示される発明のうち、代表的なものの概要を簡単に説明すれば、下記の通りである。
（１）携帯機器の表示部として使用される表示装置（例えば、液晶表示装置）であって、基板と、前記基板上に透明接着剤で貼り付けられたパネル部材を有し、前記パネル部材は、前記携帯機器の保護パネルを構成する。
（２）前記パネル部材は、前記表示装置の表示面を覆う領域が透明である。
（３）第１の開口部を有する筐体と、前記第１開口部に配置される第１保護パネルと、前記第１保護パネルの下側で、前記筐体の内部に配置される第１表示装置（例えば、液晶表示装置）とを備える携帯機器であって、前記第１表示装置は、基板を有し、前記第１保護パネルは、前記第１表示装置の前記基板上に透明接着剤で貼り付けられている。
（４）（３）において、前記筐体内部で、前記第１表示装置の前記第１保護パネルと反対側の位置に配置されるクッション材を備え、前記第１表示装置に直交する方向から見たときに、前記クッション材は、前記第１表示装置と少なくとも一部で重なる。
【０００５】
（５）（３）または（４）において、前記筐体は、前記第１の開口部が形成される面と反対側の面に第２の開口部を有し、前記第２開口部内に配置される第２保護パネルと、前記第２保護パネルの下側で、前記筐体の内部に配置される第２表示装置（例えば、液晶表示装置）とを備え、前記第２表示装置は、基板を有し、前記第２保護パネルは、前記第２表示装置の前記基板上に透明接着剤で貼り付けられている。
（６）（５）において、前記第２表示装置の周囲に配置されるクッション材を備える。
（７）（３）ないし（６）の何れかにおいて、前記第１保護パネルは、前記筐体の前記第１開口部の周囲に固定され、かつ、前記第１表示装置の表示面を覆う領域が透明である。
（８）（１）ないし（７）において、前記透明接着剤は、エラストマーである。
【発明の効果】
【０００６】
本願において開示される発明のうち代表的なものによって得られる効果を簡単に説明すれば、下記の通りである。
本発明の表示装置および携帯機器によれば、強度を低下させることなく、薄形化を図ることが可能となる。
【発明を実施するための最良の形態】
【０００７】
以下、図面を参照して本発明の実施例を詳細に説明する。
なお、実施例を説明するための全図において、同一機能を有するものは同一符号を付け、その繰り返しの説明は省略する。
図１は、本発明の実施例の携帯電話機の概略構造を示す模式断面図、図２は、図１に示す液晶表示モジュールの液晶表示パネルを説明するための図である。また、図３−１は、図１に示す携帯電話機の概略構造を説明するための模式平面図、図３−２は、図３−１に示す筐体を説明するための図、図３−３は、図３−１に示す保護パネルを説明するための図である。
なお、図１、図３−１〜図３−３において、１はパネル部材である保護パネル（本発明の第１保護パネル）、１−１は透明領域、２は筐体、２−２は第１の開口部、３はクッション材、４は接着剤あるいは両面テープ、５は透明接着剤、１２はフレキシブル配線路基板、ＬＣＭは液晶表示モジュールである。
また、本実施例の携帯電話機は、折りたたみ構造のものを想定しており、図１、図３−１では、液晶表示モジュール（ＬＣＭ）が実装される部分の構造のみを図示している。さらに、液晶表示モジュール（ＬＣＭ）は、サブピクセル数が、（３２０×２４０×３）程度の小型の液晶表示パネルを有する。
【０００８】
図２に示すように、図１に示す液晶表示モジュール（ＬＣＭ）の液晶表示パネルは、画素電極、薄膜トランジスタ等が設けられたガラス基板１１と、カラーフィルタ等が形成されるガラス基板１０とを、所定の間隙を隔てて重ね合わせ、該両ガラス基板間の周縁部近傍に枠状に設けたシール材により、両ガラス基板を貼り合わせると共に、シール材の一部に設けた液晶封入口から両ガラス基板間のシール材の内側に液晶を封入、封止し、さらに、両ガラス基板の外側に偏光板を貼り付けて構成される。
また、ガラス基板１１は、ガラス基板１０よりも大きな面積を有し、ガラス基板１１の、ガラス基板１０と対向しない領域には、各サブピクセルを駆動するドライバを構成する半導体チップ（ＤＲＶ）が実装され、さらに、当該領域の一辺の周辺部には、フレキシブル配線基板１２が実装される。
なお、図２に示す液晶表示パネルは、樹脂モールドフレームに実装されるが、この樹脂モールドフレームの図示は省略する。さらに、本発明は、液晶表示パネルの内部構造とは直には関係がないので、液晶表示パネルの内部構造の詳細な説明は省略する。さらに、本発明は、どのような構造の液晶表示パネルであっても適用可能である。
【０００９】
図１に示すように、本実施例では、保護パネル１と、液晶表示モジュール（ＬＣＭ）の液晶表示パネルのガラス基板１０とを、透明接着剤（例えば、透明エラストマー材、あるいは、粘着材等）５で貼り付ける。また、図３−２に示すように、筐体２には第１の開口部（２−１）が形成される。
そして、本実施例では、保護パネル１を、接着剤あるいは両面テープ４により、筐体２の第１の開口部（２−１）の周囲に貼り付けて、筐体２に形成された第１の開口部（２−１）を覆うように、保護パネル１を配置する。
保護パネル１は、例えば、アクリル樹脂等からなり、図３−３に示すように、液晶表示パネルの表示部に当たる部分が透明領域（１−１）となっている。また、透明接着剤５は、液晶表示パネルの表示面全面を覆うように貼り付けられており、保護パネル１の透明領域（１−１）全面に貼り付く構造となっている。ここで、透明接着剤５の屈折率は、ガラスの屈折率とほぼ同じ、あるいはそれ以上（例えば、１．１以上）が好ましい。
【００１０】
このように、本実施例では、液晶表示モジュール（ＬＣＭ）は、透明接着剤５により保護パネル１に貼り付けられて、携帯電話機の筐体２に取り付けられるが、その際に、液晶表示モジュール（ＬＣＭ）の周囲には間隙を設け、さらに、液晶表示モジュール（ＬＣＭ）と携帯電話機の筐体２との間には発泡ウレタン等のクッション材３を配置するのが好ましい。ここで、液晶表示モジュール（ＬＣＭ）の液晶表示パネルに直交する方向から見たとき、クッション材３は、液晶表示モジュール（ＬＣＭ）と少なくとも一部で重なっている。
これにより、本実施例では、保護パネル１に圧力が加わっても、液晶表示モジュール（ＬＣＭ）の底面には硬いホルダ（ダイキャスト）がないため、液晶表示パネルのガラス基板が割れにくくなり、さらに、液晶表示モジュール（ＬＣＭ）の液晶表示パネルは、保護パネル１と面で張り付いているため、落下の衝撃に対しても強度を向上させることができる。
【００１１】
図４は、本発明の実施例の携帯電話機の変形例の概略構造を示す模式断面図である。図４に示す携帯電話機は、液晶表示モジュールとして、メイン画面・サブ画面一体型の液晶表示モジュール（ＬＣＭ）を使用したものである。
図５−１は、図４に示す携帯電話機のメイン画面側の概略構造を説明するための模式平面図、図５−２は図４に示す携帯電話機のサブ画面側の概略構造を説明するための模式平面図である。
図４、図５−１、図５−２において、ＳＰＡはサブの液晶表示パネル、７はクッション材、８はサブの液晶表示パネル用の保護パネル（本発明の第２保護パネル）、１３は本体側との接続部である。
図４に示す携帯電話機は、メイン画面側の構成は、図１、図３−１の構成と同じであるが、サブ画面側では、液晶表示パネル（ＳＰＡ）のガラス基板に、ガラス基板と同じ大きさの保護パネル８を、貼透明接着剤（例えば、透明エラストマー材、あるいは、粘着材等）５で貼り付ける。また、図５−２に示すように、筐体２には第２の開口部（２−２）を形成し、この第２の開口部（２−２）内に、保護パネル８が位置するように、液晶表示パネル（ＳＰＡ）を配置する。
さらに、液晶表示パネル（ＳＰＡ）の周囲には、クッション材を配置し、それにより、異物が携帯電話機の筐体２内に進入することを防止している。
【００１２】
なお、図１、図３−１に示す携帯電話機では、フレキシブル配線基板１２は折り曲げられて、先端部が液晶表示モジュールの裏側に位置するようにされるが、図４、図５−１、図５−２に示す携帯電話機は、メイン画面・サブ画面一体型の液晶表示モジュール（ＬＣＭ）を使用するために、フレキシブル配線基板１２は折り曲げられることなく、先端部が本体側との接続部１３に接続される。
また、前述までの説明では、本発明を携帯電話機に適用した実施例について説明したが、本発明は、これに限定されず、ＰＤＡ等の携帯機器にも適用可能であることは言うまでもない。さらに、前述までの説明では、表示装置として液晶表示装置を使用したが、これに限らず、その他の小型の表示装置も使用することも可能である。
以上、本発明者によってなされた発明を、前記実施例に基づき具体的に説明したが、本発明は、前記実施例に限定されるものではなく、その要旨を逸脱しない範囲において種々変更可能であることは勿論である。
【図面の簡単な説明】
【００１３】
【図１】本発明の実施例の携帯電話機の概略構造を示す模式断面図である。
【図２】図１に示す液晶表示モジュールの液晶表示パネルを説明するための図である。
【図３−１】図１に示す携帯電話機の概略構造を説明するための模式平面図である。
【図３−２】図３−１に示す筐体を説明するための図である。
【図３−３】図３−１に示す保護パネルを説明するための図である。
【図４】本発明の実施例の携帯電話機の変形例の概略構造を示す模式断面図である。
【図５−１】図４に示す携帯電話機のメイン画面側の概略構造を説明するための模式平面図である。
【図５−２】図４に示す携帯電話機のサブ画面側の概略構造を説明するための模式平面図である。
【図６】従来の携帯電話機の概略構造を示す模式断面図である。
【図７】図６に示す携帯電話機の概略構造を説明するための模式平面図である。
【符号の説明】
【００１４】
１，８  保護パネル
１−１  透明領域
２  携帯電話機の筐体
２−１，２−２  開口部
３，７  クッション材
４  接着剤あるいは両面テープ
５  透明接着剤
６  ダイキャスト
１０，１１  ガラス基板
１２  フレキシブル配線基板
１３  本体側との接続部
ＬＣＭ  液晶表示モジュール
ＳＰＡ  サブの液晶表示パネル
ＤＲＶ  半導体チップ
【図１】
2008090053.tif 000003
【図２】
2008090053.tif 000004
【図３−１】
2008090053.tif 000005
【図３−２】
2008090053.tif 000006
【図３−３】
2008090053.tif 000007
【図４】
2008090053.tif 000008
【図５−１】
2008090053.tif 000009
【図５−２】
2008090053.tif 000010
【図６】
2008090053.tif 000011
【図７】
2008090053.tif 000012